(57)【要約】【課題】制限電力量より大きな電力の電気機器にも接続できるＵＳＢコネクタを提供する。【解決手段】ＵＳＢコネクタ（１００）は、電力コンタクト（１）及び補助電力コンタクト（１０）を具備する。ＵＳＢコネクタの電力コンタクト及び補助電力コンタクトは、相手ＵＳＢコネクタ（２００）の相手電力コンタクト（１’）に同時に電気接触するよう構成されている。【選択図】図６
2012209255.tif 000002
【特許請求の範囲】
【請求項１】
電力コンタクト（１）及び補助電力コンタクト（１０）を具備するＵＳＢコネクタ（１００）であって、
前記ＵＳＢコネクタの前記電力コンタクト及び前記補助電力コンタクトは、相手ＵＳＢコネクタ（２００）の相手電力コンタクト（１’）に同時に電気接触するよう構成されていることを特徴とするＵＳＢコネクタ。
【請求項２】
前記ＵＳＢコネクタの前記電力コンタクト及び前記補助電力コンタクトは互いに隣接しており、
前記電力コンタクトの接触部（１−２）及び前記補助電力コンタクトの接触部（１０−２）は、ほぼ同一平面上に横たわることを特徴とする請求項１記載のＵＳＢコネクタ。
【請求項３】
少なくとも１個の接地コンタクト（４，７）及び少なくとも１個の信号コンタクト（２，３，５，６，８，９）をさらに具備することを特徴とする請求項１記載のＵＳＢコネクタ。
【請求項４】
前記ＵＳＢコネクタは雌型コネクタであり、
前記相手ＵＳＢコネクタは雄型コネクタであることを特徴とする請求項１記載のＵＳＢコネクタ。
【請求項５】
前記ＵＳＢコネクタは雌型のＵＳＢ３．０コネクタであり、
前記相手ＵＳＢコネクタは雄型のＵＳＢ３．０コネクタであることを特徴とする請求項３又は４記載のＵＳＢコネクタ。
【請求項６】
前記ＵＳＢコネクタの全ての前記コンタクトは、絶縁本体（１０２）内に組み込まれると共に互いに電気絶縁されていることを特徴とする請求項５記載のＵＳＢコネクタ。
【請求項７】
前記ＵＳＢコネクタの各コンタクトは、一端にピンを有すると共に他端に接触部を有することを特徴とする請求項５記載のＵＳＢコネクタ。
【請求項８】
前記ＵＳＢコネクタの前記ピンは、絶縁ホルダ（１０３）に配置されることを特徴とする請求項７記載のＵＳＢコネクタ。
【請求項９】
前記絶縁本体及び前記絶縁ホルダを取り囲む金属シールド（１０１）をさらに具備することを特徴とする請求項８記載のＵＳＢコネクタ。
【請求項１０】
前記相手ＵＳＢコネクタは、前記ＵＳＢコネクタの前記接地コンタクト及び前記信号コンタクトにそれぞれ対応する接地コンタクト及び信号コンタクトをさらに具備し、
前記相手ＵＳＢコネクタの前記接地コンタクト及び前記信号コンタクトの接触部は、前記相手ＵＳＢコネクタが前記ＵＳＢコネクタに挿入された後、前記ＵＳＢコネクタの前記接地コンタクト及び前記信号コンタクトの前記接触部と電気接触することを特徴とする請求項９記載のＵＳＢコネクタ。
【発明の詳細な説明】
【技術分野】
【０００１】
本発明は、ＵＳＢ（ユニバーサル・シリアル・バス）コネクタに関し、特に大電力電子機器に適応したＵＳＢコネクタに関する。
【背景技術】
【０００２】
ＵＳＢコネクタは、共通電力コンタクト、接地コンタクト、及び複数の差動信号コンタクトを一般的に具備する。共通電力コンタクトは、ＵＳＢコネクタ及びこのＵＳＢコネクタに接続された電気機器に電力を供給するのに使用される。
【先行技術文献】
【特許文献】
【０００３】
【特許文献１】特開平１１−１２１０６３号公報
【発明の概要】
【発明が解決しようとする課題】
【０００４】
市販の電気機器の電力がより大容量になりつつあるので、従来のＵＳＢコネクタの共通電力コンタクトは、従前よりも大電流を流す必要がある。しかし、従来のＵＳＢコネクタの共通電力コンタクトは設計規格に従わなければならず、その寸法は様々な実際の用途に従って変更することができない。このため、従来のＵＳＢコネクタの共通電力コンタクトは、上限値を越えて電流を流すことに使用することができず、制限電力量より大きな電力の電気機器に適用できない。
【０００５】
従って、従来のＵＳＢコネクタは、制限電力量以下の電力の電気機器と接続することができるのみであり、その用途は大きく限定される。
【課題を解決するための手段】
【０００６】
本発明は、上述の不利益の少なくとも一側面を克服又は軽減するためになされたものである。
【０００７】
従って、従前よりも大きな電力の電気機器に良好に適応するＵＳＢコネクタを提供することが望ましい。
【０００８】
本発明の一側面によれば、電力コンタクト及び補助電力コンタクトを具備するＵＳＢコネクタが提供される。このＵＳＢコネクタの電力コンタクト及び補助電力コンタクトは、相手ＵＳＢコネクタの相手電力コンタクトに同時に電気接触するよう構成されている。
【０００９】
本発明に従った典型的な一実施形態において、ＵＳＢコネクタの電力コンタクト及び補助電力コンタクトは互いに隣接しており、電力コンタクトの接触部及び補助電力コンタクトの接触部は、同一平面上に横たわる。
【００１０】
本発明に従った典型的な別の実施形態において、ＵＳＢコネクタは、少なくとも１個の接地コンタクト及び少なくとも１個の信号コンタクトをさらに具備する。
【００１１】
本発明に従った典型的な別の実施形態において、ＵＳＢコネクタは雌型コネクタであり、相手ＵＳＢコネクタは雄型コネクタである。
【００１２】
本発明に従った典型的な別の実施形態において、ＵＳＢコネクタは雌型のＵＳＢ３．０コネクタであり、相手ＵＳＢコネクタは雄型のＵＳＢ３．０コネクタである。
【００１３】
本発明に従った典型的な別の実施形態において、ＵＳＢコネクタの全コンタクトは、絶縁本体内に組み込まれると共に互いに電気絶縁されている。
【００１４】
本発明に従った典型的な別の実施形態において、ＵＳＢコネクタの各コンタクトは、一端にピンを有すると共に他端に接触部を有する。
【００１５】
本発明に従った典型的な別の実施形態において、ＵＳＢコネクタのピンは、絶縁ホルダにそれぞれ配置される。
【００１６】
本発明に従った典型的な別の実施形態において、ＵＳＢコネクタは、絶縁本体及び絶縁ホルダを取り囲む金属シールドをさらに具備する。
【００１７】
本発明に従った典型的な別の実施形態において、相手ＵＳＢコネクタは、ＵＳＢコネクタの接地コンタクト及び信号コンタクトに対応する接地コンタクト及び信号コンタクトをさらに具備する。相手ＵＳＢコネクタの接地コンタクト及び信号コンタクトの接触部は、相手ＵＳＢコネクタがＵＳＢコネクタに挿入された後、ＵＳＢコネクタの接地コンタクト及び信号コンタクトの接触部と電気接触する。
【００１８】
本発明の様々な典型的な実施形態において、大電力の電気機器のプラグ（すなわち、相手ＵＳＢコネクタ）がＵＳＢコネクタに挿入される際に、共通電力コンタクトに加えて追加の補助電力コンタクトがＵＳＢコネクタに設けられる。ＵＳＢコネクタの電力コンタクト及び補助電力コンタクトは、大電力電気機器のプラグに同時に電気接触する。従って、ＵＳＢコネクタの通電容量が改善され、本発明に係るＵＳＢコネクタは、従前より大電力の電子機器に使用することができる。
【００１９】
上述した側面や他の側面及び本発明の利点は、添付図面と併せて典型的な実施形態の以下の詳細な説明からより明白になるであろう。
【図面の簡単な説明】
【００２０】
【図１】本発明の典型的な一実施形態に係るＵＳＢコネクタを示す分解図である。
【図２】本発明の典型的な一実施形態に係る組立後のＵＳＢコネクタを後方から見た斜視図である。
【図３】図２の組立後のＵＳＢコネクタを下から見た斜視図である。
【図４】図１のＵＳＢコネクタの電力コンタクト及び補助電力コンタクトを示す拡大斜視図である。
【図５】図１ないし図３に示されたＵＳＢコネクタに挿入された大電力電気機器のプラグ（すなわち、相手ＵＳＢコネクタ）を示す側面図である。
【図６】図１ないし図３に示されたＵＳＢコネクタに相手ＵＳＢコネクタが挿入された後の、ＵＳＢコネクタのコンタクト及び相手ＵＳＢコネクタのコンタクトの接触状態を示す側面図である。
【発明を実施するための形態】
【００２１】
以下、添付図面を参照して、本発明に係る典型的な実施形態を詳細に説明する。ここで、同じ要素には同じ参照番号が付与される。しかし、本発明は、多くの異なる形態で実施することができ、以下に説明する実施形態に限定するものとして解釈してはならない。むしろ、本発明が徹底的且つ完全であり、本開示のコンセプトを当業者に十分に伝えるようにこれらの実施形態が提供される。
【００２２】
図１は、本発明の典型的な一実施形態に係るＵＳＢコネクタを示す分解図である。図２は、本発明の典型的な一実施形態に係る組立後のＵＳＢコネクタを後方から見た斜視図である。図３は、図２の組立後のＵＳＢコネクタを下から見た斜視図である。
【００２３】
図１ないし図３に示されるように、例えばＵＳＢ３．０コネクタであるＵＳＢコネクタ１００は、本発明の典型的な一実施形態として図示されている。しかし、本発明にこの実施形態に限定されず、ＵＳＢコネクタ１００は例えばＵＳＢ２．０コネクタ等の他のタイプのＵＳＢコネクタであってもよいことに留意されたい。
【００２４】
図１ないし図３を参照すると、本発明の一実施形態において、ＵＳＢコネクタ１００は、雌型のＵＳＢ３．０コネクタである。図１ないし図３に示されるように、ＵＳＢコネクタ１００は主に、金属シールド１０１、絶縁本体１０２、この絶縁本体１０２に取り付けられた複数のコンタクト１，２，３，４，５，６，７，８，９，１０、及び後部絶縁ホルダ１０３を具備する。
【００２５】
図１ないし図３に示される典型的な実施形態において、図示のＵＳＢコネクタ１００は、追加の補助電力コンタクト１０が設けられる点を除き、従来のＵＳＢ３．０規格に従う。従来のＵＳＢ３．０規格は当業者に周知であるので、簡潔のために、その詳細な説明を省略する。
【００２６】
図１に示されるように、１対のコンタクト２，３は、ＵＳＢ２．０コネクタと互換性を有する１対の低速差動信号コンタクトである。１対のコンタクト５，６及び１対のコンタクト８，９は、２対の高速差動信号コンタクトである。コンタクト１は共通電力コンタクトである。コンタクト４は、ＵＳＢ２．０コネクタ用の接地コンタクトである。コンタクト７は、ＵＳＢ３．０コネクタ用の接地コンタクトである。コンタクト１０は補助電力コンタクトである。
【００２７】
図１ないし図３に示されるように、補助電力コンタクト１０は、電力コンタクト１に隣接して配置されている。そして、補助電力コンタクト１０及び電力コンタクト１は共に、プラグ（図５及び図６に示される相手ＵＳＢコネクタ）２００を有する外部電気機器に電力を供給する。
【００２８】
図１を参照すると、本発明の典型的な一実施形態において、補助電力コンタクト１０は、電力コンタクト１の上に配置される。
【００２９】
図５は、図１ないし図３に示されたＵＳＢコネクタに挿入された大電力電気機器のプラグ（すなわち、相手ＵＳＢコネクタ）を示す図である。図６は、相手ＵＳＢコネクタが図１ないし図３に示されたＵＳＢコネクタに挿入された後の、ＵＳＢコネクタのコンタクト及び相手ＵＳＢコネクタのコンタクトの接触状態を示す図である。
【００３０】
図１及び図６に示されるように、本発明の典型的な一実施形態において、相手ＵＳＢコネクタ２００の相手電力コンタクト１’に電気接触している電力コンタクト１の部分１−２は、相手ＵＳＢコネクタ２００の相手電力コンタクト１’に電気接触している補助電力コンタクト１０の部分１０−２の前部に配置される。
【００３１】
図１及び図６を再度参照すると、電力コンタクト１の接触部１−２及び補助電力コンタクト１０の部分１０−２は、同一のほぼ水平平面上に横たわる。さらに、相手電力コンタクト１’の接触部１−２’は、同一のほぼ水平平面上に横たわる電力コンタクト１の接触部１−２及び補助電力コンタクト１０の接触部１０−２に同時に電気接触するための水平な下面を有する。このようにして、ＵＳＢコネクタ１００の電力コンタクト１及び補助電力コンタクト１０は、相手ＵＳＢコンタクト２００の相手電力コンタクト１’に同時に電気接触しつづける。
【００３２】
図１及び図２に示されるように、ＵＳＢコネクタ１００の全コンタクト１，２，３，４，５，６，７，８，９，１０は、絶縁本体１０２内に組み込まれると共に互いに電気絶縁される。
【００３３】
図１及び図３に示されるように、ＵＳＢコネクタ１００のコンタクト１，２，３，４，５，６，７，８，９，１０は、その後端にピン１−１，２−１，３−１，４−１，５−１，６−１，７−１，８−１，９−１，１０−１をそれぞれ有する。コンタクト１，２，３，４，５，６，７，８，９，１０のこれら全てのピンは、絶縁ホルダ１０３のスロット内に固定され配置される。
【００３４】
さらに、図２及び図３に示されるように、絶縁本体１及び絶縁ホルダ１０３は金属シールド１０２に取り囲まれる。
【００３５】
図４は、図１のＵＳＢコネクタの電力コンタクト及び補助電力コンタクトを示す拡大斜視図である。
【００３６】
図４に示されるように、本発明の典型的な一実施形態において、補助電力コンタクト１０は、電力コンタクト１の若干上に配置されると共に電力コンタクト１から離間している。
【００３７】
図４を参照すると、電力コンタクト１の前端は、相手電力コンタクト１’と電気接触するためにばね接触部１−２を形成するよう湾曲する。そして、電力コンタクト１の後端は、印刷回路基板（図示せず）に電気接続するためのピン１−１を形成する。同様に、補助電力コンタクト１０の前端は、相手電力コンタクト１’と電気接触するためにばね接触部１０−２を形成するよう湾曲する。そして、補助電力コンタクト１０の後端は、印刷回路基板に電気接続するためのピン１０−１を形成する。
【００３８】
図示されていないが、他のコンタクトも全て、コンタクト１，１０と同様の構造を有する。例えば、コンタクト９は、その前端に接触部９−２（図６参照）を、その後端にピン９−１（図３参照）を有する。
【００３９】
図５及び図６を参照すると、大電力電気機器の外部電気機器（すなわち、相手ＵＳＢコネクタ２００）のプラグが図１ないし図３に示されるＵＳＢコネクタ１００に挿入されると、大電力電気機器の相手ＵＳＢコネクタ２００の相手電力コンタクト１’は、ＵＳＢコネクタ１００の電力コンタクト１及び補助電力コンタクト１０に同時に電気接続状態になる。従って、ＵＳＢコネクタ１００の通電容量が改善され、本発明のＵＳＢコネクタ１００は従前より大電力の外部電子機器に適用できる。
【００４０】
図１ないし図３に示されたＵＳＢコネクタ１００と嵌合するために、相手ＵＳＢコネクタ２００は、ＵＳＢコネクタ１００の接地コンタクト及び信号コンタクトにそれぞれ対応する接地コンタクト及び信号コンタクトを具備する。例えば、図６に示されるように、相手ＵＳＢコネクタ２００は、ＵＳＢコネクタ１００の高速差動信号コンタクト９と電気接触するための高速差動信号コンタクト９’を有する。
【００４１】
図示されていないが、相手ＵＳＢコネクタ２００がＵＳＢコネクタ１００に挿入されると、相手ＳＵＢコネクタ２００の接地コンタクト及び信号コンタクトの接触部は、ＵＳＢコネクタ１００の接地コンタクト及び信号コンタクトの接触部にそれぞれ電気接触するようになる。
【００４２】
いくつかの実施形態を図示し上述したが、当業者であれば、本発明の原理及び真髄から逸脱することなく、実施形態に変更を加えること、及び本発明の範囲は特許請求の範囲及びその等価物で定義されることが理解されよう。
【００４３】
本明細書で使用されているように、「１個の」又は「一つの」要素は、特に明記されていない限り、複数の要素を排除するものではないと理解されたい。さらに、本発明の「一実施形態」は、謳われた特徴を組み込む追加の実施形態の存在を排除するものと解釈することを意図していない。よ。また、逆の事項が明記されていない限り、特定の特性を有する要素を「具備する」又は「有する」実施形態には、その特性を有していない追加の要素を含んでもよい。
【符号の説明】
【００４４】
１                      電力コンタクト
１−２                  
１’                    相手電力コンタクト
２，３，５，６，８，９  信号コンタクト
４，７                  接地コンタクト
１０                    補助電力コンタクト
１０−２                接触部
１００                  ＵＳＢコネクタ
１０１                  金属シールド
１０２                  絶縁本体
１０３                  絶縁ホルダ
２００                  相手ＵＳＢコネクタ
【図１】
2012209255.tif 000003
【図２】
2012209255.tif 000004
【図３】
2012209255.tif 000005
【図４】
2012209255.tif 000006
【図５】
2012209255.tif 000007
【図６】
2012209255.tif 000008